(57)【要約】【課題】収納時の積み重ねを可能にするフェンスおよび接続部材を提供する。【解決手段】フェンス１０は、平面状に組み立てられたフェンス本体１２と、フェンス本体の下部に回動可能に取付けられ、フェンス収納時にはフェンス本体１２と同一平面Ｓ内に位置するように回転移動される脚部１４とを備える。フェンス本体１２は、接続部材Ｃと、接続部材Ｃ間を繋ぎ互いに交差するＸ方向とＹ方向から接続部材Ｃに差し込まれる被接続部材Ｐとを備える。接続部材Ｃは、平面Ｓの一方面側に設けられ、フェンス収納時には隣接する同形状の接続部材Ｃに当接して接続部材同士の平面に沿った相対移動を規制する第一突起部１６と、平面Ｓの他方面側に設けられ、フェンス収納時には隣接する同形状の接続部材Ｃに当接して接続部材同士の平面に沿った相対移動を規制する第二突起部１８とを備える。【選択図】図１
2018162579.tif 000002
【特許請求の範囲】
【請求項１】
平面状に組み立てられたフェンス本体と、
該フェンス本体の下部に回動可能に取付けられ、フェンス収納時には前記フェンス本体と同一平面内に位置するように回転移動される脚部と
を備え、
前記フェンス本体は、
接続部材と、
前記接続部材間を繋ぎ互いに交差する第一方向と第二方向から前記接続部材に差し込まれる被接続部材と
を備え、
前記接続部材は、
前記平面の一方面側に形成され、フェンス収納時には隣接する同形状の接続部材に当接して接続部材同士の前記平面に沿った相対移動を規制する一方面側規制部と、
前記平面の他方面側に形成され、フェンス収納時には隣接する同形状の接続部材に当接して接続部材同士の前記平面に沿った相対移動を規制する他方面側規制部とを備えたことを特徴とするフェンス。
【請求項２】
前記第一方向と前記第二方向とが直交していることを特徴とする請求項１に記載のフェンス。
【請求項３】
前記フェンス本体の一方のフェンス面および他方のフェンス面で、前記一方面側規制部および前記他方面側規制部が千鳥状に配置されていることを特徴とする請求項１または２に記載のフェンス。
【請求項４】
互いに交差する第一方向と第二方向とで形成される平面の一方面側に形成され、隣接する接続部材に当接して接続部材同士の前記平面に沿った相対移動を規制する一方面側規制部と、
前記平面の他方面側に形成され、隣接する接続部材に当接して接続部材同士の前記平面に沿った相対移動を規制する他方面側規制部と
を備え、
前記第一方向と前記第二方向から被接続部材が差し込まれることを特徴とする接続部材。
【請求項５】
前記第一方向と前記第二方向とが直交していることを特徴とする請求項４に記載の接続部材。
【請求項６】
前記一方面側規制部は、接続部材中央部から突出する第一突起部を備え、
前記他方面側規制部は、接続部材中央部から突出して、隣接する同形状の接続部材の前記第一突起部が入る凹部を備えた第二突起部を備えることを特徴とする請求項４または５に記載の接続部材。
【請求項７】
前記一方面側規制部は、前記第一方向と前記第二方向のうちの一方向に沿って延びる細長状の一本のリブを備え、
前記他方面側規制部は、前記第一方向と前記第二方向のうちの他方向に沿って延び、隣接する同形状の接続部材の前記リブの両サイドに位置する二本のリブを備えることを特徴とする請求項４または５に記載の接続部材。
【請求項８】
前記一方面側規制部は、隣接する同形状の接続部材との前記第一方向および前記第二方向の相対移動のうち、一方向以外を規制する第一立設部を備え、
前記他方面側規制部は、隣接する同形状の接続部材との前記第一方向および前記第二方向の相対移動のうち、他方向以外を規制する第二立設部を備えることを特徴とする請求項４または５に記載の接続部材。
【請求項９】
前記一方面側規制部は、隣接する同形状の接続部材との前記第一方向および前記第二方向の両方向の相対移動を規制する一方面側立設部を備え、
前記他方面側規制部は、隣接する同形状の接続部材との前記第一方向および前記第二方向の両方向の相対移動を規制する他方面側立設部を備え、
前記他方面側立設部は、隣接する同形状の接続部材の前記一方面側立設部に非干渉となる位置に配置されていることを特徴とする請求項４または５に記載の接続部材。
【発明の詳細な説明】
【技術分野】
【０００１】
本実施の形態は、フェンスおよび接続部材に関する。
【背景技術】
【０００２】
道路、公園など、人通りがあるところでは、フェンスが多用されている。このフェンスは、収納スペースを小さくすることや、運搬し易くすることなどの理由から、折りたたみ式にされていることが多い（例えば特許文献１参照）。
【０００３】
折りたたみ式のフェンスでは、使用時にはフェンスが倒れないように脚部の向きを調整し、収納時には脚部をフェンスと同一平面に向ける構成にされている場合がある。
【先行技術文献】
【特許文献】
【０００４】
【特許文献１】特開2016-30991号公報
【発明の概要】
【発明が解決しようとする課題】
【０００５】
ところが、このように収納時には脚部をフェンスと同一平面に向けるフェンスでは、紐等を用いないと収納時に積み重ねることはできない。また、紐等を用いて積み重ねた状態では、一つずつ順次に使用していくことはできない。このため、使用者にとって、収納時および使用時での作業が煩わしく時間がかかるという問題があった。
【０００６】
本実施の形態は、収納時の積み重ねを可能にするフェンスおよび接続部材を提供する。
【課題を解決するための手段】
【０００７】
本実施の形態の一態様によれば、平面状に組み立てられたフェンス本体と、該フェンス本体の下部に回動可能に取付けられ、フェンス収納時には前記フェンス本体と同一平面内に位置するように回転移動される脚部とを備え、前記フェンス本体は、接続部材と、前記接続部材間を繋ぎ互いに交差する第一方向と第二方向から前記接続部材に差し込まれる被接続部材とを備え、前記接続部材は、前記平面の一方面側に形成され、フェンス収納時には隣接する同形状の接続部材に当接して接続部材同士の前記平面に沿った相対移動を規制する一方面側規制部と、前記平面の他方面側に形成され、フェンス収納時には隣接する同形状の接続部材に当接して接続部材同士の前記平面に沿った相対移動を規制する他方面側規制部とを備えたフェンスが提供される。
【０００８】
また、本実施の形態の別の一態様によれば、互いに交差する第一方向と第二方向とで形成される平面の一方面側に形成され、隣接する接続部材に当接して接続部材同士の前記平面に沿った相対移動を規制する一方面側規制部と、前記平面の他方面側に形成され、隣接する接続部材に当接して接続部材同士の前記平面に沿った相対移動を規制する他方面側規制部とを備え、前記第一方向と前記第二方向から被接続部材が差し込まれる接続部材が提供される。
【発明の効果】
【０００９】
本実施の形態によれば、フェンス収納時の積み重ねを可能にするフェンスおよび接続部材を提供することができる。
【図面の簡単な説明】
【００１０】
【図１】第１実施形態に係る接続具を備えたフェンスの使用時を示す全体鳥瞰図。
【図２】第１実施形態に係る接続具を備えたフェンスの収納時を示す全体鳥瞰図。
【図３】図１の部分拡大図。
【図４】第１実施形態に係る接続具を備えたフェンスの収納時にフェンスを積み重ねたことを示す全体鳥瞰図。
【図５】第２実施形態に係る接続具を備えたフェンスの使用時を示す全体鳥瞰図。
【図６】第２実施形態に係る接続具を備えたフェンスの収納時を示す全体鳥瞰図。
【図７】図５の部分拡大図。
【図８】第２実施形態に係る接続具を備えたフェンスの収納時にフェンスを積み重ねたことを示す全体鳥瞰図。
【図９】第３実施形態に係る接続具を備えたフェンスの使用時を示す全体鳥瞰図。
【図１０】第３実施形態に係る接続具を備えたフェンスの収納時を示す全体鳥瞰図。
【図１１】図９の部分拡大図。
【図１２】第３実施形態に係る接続具を備えたフェンスの収納時にフェンスを積み重ねたことを示す全体鳥瞰図。
【図１３】第４実施形態に係る接続具を備えたフェンスの使用時を示す全体鳥瞰図。
【図１４】第４実施形態に係る接続具を備えたフェンスの収納時を示す全体鳥瞰図。
【図１５】図１３の部分拡大図。
【図１６】第４実施形態に係る接続具を備えたフェンスの収納時にフェンスを積み重ねたことを示す全体鳥瞰図。
【発明を実施するための形態】
【００１１】
図面を参照して、実施の形態を説明する。以下の図面の記載において、同一又は類似の部分には同一又は類似の符号を付している。
【００１２】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１３】
また、本明細書で「互いに交差する第一方向と第二方向とから差し込まれる」とは、第一方向に関して片方から差し込まれる構成でも両方から差し込まれる構成でもよく、しかも、第二方向に関して片方から差し込まれる構成でも両方から差し込まれる構成でもよいことを意味する。
【００１４】
［第１実施形態］
（フェンスの全体構成）
図１〜図４を参照して、第１実施形態に係るフェンス１０の全体構成を説明する。図１は、第１実施形態に係る接続具を備えたフェンスの使用時を示す全体鳥瞰図であり、図２は、第１実施形態に係る接続具を備えたフェンスの収納時を示す全体鳥瞰図である。図３は、図１の部分拡大図である。図４は、第１実施形態に係る接続具を備えたフェンスの収納時にフェンスを積み重ねたことを示す全体鳥瞰図である。
【００１５】
第１実施形態に係るフェンス１０は、平面状に組み立てられたフェンス本体１２と、フェンス本体１２の下部に回動可能に取付けられ、フェンス収納時にはフェンス本体１２と同一平面内に位置するように回転移動される脚部１４と、を備えたフェンスである。この脚部１４は、使用時にはフェンス面に直交する向きにされ、収納時にはフェンス面と平行な向き、すなわちフェンス面と同一面に位置する向きにされる。
【００１６】
フェンス本体１２は、互いに交差する第一方向と第二方向とから長尺状の被接続部材（パイプ材であることが多い）が差し込まれる接続部材Ｃと、接続部材Ｃに差し込まれて接続部材間を繋ぐ被接続部材Ｐとを備えており、接続部材Ｃと被接続部材Ｐとが配設されることでフェンス本体１２が構成されている。
【００１７】
第１実施形態では、第一方向と第二方向とが直交している。以下、第一方向を、フェンス立設時（フェンス使用時）における水平方向（Ｘ方向）とし、第二方向を、フェンス立設時における上下方向（Ｙ方向）とし、各構成要素の説明をフェンス立設時の状態で説明する。
【００１８】
また、接続部材Ｃおよび被接続部材Ｐの材質は樹脂であるが、金属等の他の材質であってもよい。
【００１９】
（接続部材）
接続部材Ｃとしては、フェンス本体１２の上角部に配置された接続部材Ｃａと、フェンス本体１２の上角部以外の辺部に配置された接続部材Ｃｂと、フェンス本体１２の上角部以外および辺部以外（すなわち外枠よりもフェンス本体内側）に配置された接続部材Ｃｃと、が配置されている。
【００２０】
接続部材Ｃａは、接続部材中央部ＭからＸ方向の片側（フェンス側）に延びる第一方向受け部Ｅｘと、接続部材中央部Ｍから下方（Ｙ方向）に延びる第二方向受け部Ｅｙと、第一方向受け部Ｅｘと第二方向受け部Ｅｙとに連続する板状の補強部Ｒとを有する。そして、第一方向受け部Ｅｘの端部からは被接続部材ＰｘがＸ方向に差し込まれて接続され、第二方向受け部Ｅｙの端部からは被接続部材ＰｙがＹ方向に差し込まれて接続される構成になっている。
【００２１】
フェンス本体１２の上辺部および下辺部に配置されている接続部材Ｃｂは、接続部材中央部ＭからＸ方向両側に延びる第一方向受け部Ｅｘと、接続部材中央部Ｍから下方（Ｙ方向）へ延びる第二方向受け部Ｅｙと、第一方向受け部Ｅｘと第二方向受け部Ｅｙとに連続する板状の補強部Ｒとを有する。補強部Ｒは、第二方向受け部Ｅｙの両側で第一方向受け部Ｅｘに連続している（すなわち、第一方向受け部Ｅｘと第二方向受け部Ｅｙとで形成される二隅部でそれぞれ連続している）。そして、第一方向受け部Ｅｘの両端部からＸ方向にそれぞれ被接続部材Ｐｘが差し込まれて接続され、第二方向受け部Ｅｙの端部からは被接続部材ＰｙがＹ方向に差し込まれて接続される構成になっている。
【００２２】
フェンス本体１２の左右の側辺部に配置されている接続部材Ｃｂは、上辺部および下辺部に配置されている接続部材Ｃｂと同じ寸法であって向きが９０°異なるものであり、第一方向受け部ＥｘがＹ方向に延びるように配置されたものである。
【００２３】
接続部材Ｃｃは、接続部材中央部ＭからＸ方向両側に延びる第一方向受け部Ｅｘと、第一方向受け部Ｅｘの接続部材中央部ＭからＹ方向両側へ延びる第二方向受け部Ｅｙと、第一方向受け部Ｅｘと第二方向受け部Ｅｙとに連続する板状の補強部Ｒとを有する。補強部Ｒは、第一方向受け部Ｅｘと第二方向受け部Ｅｙとで形成される四隅部でそれぞれ連続している。そして、第一方向受け部Ｅｘの両端部からＸ方向にそれぞれ被接続部材Ｐｘが差し込まれて接続され、第二方向受け部Ｅｙの両端部からＹ方向にそれぞれ被接続部材Ｐｙが差し込まれて接続される構成になっている。
【００２４】
（接続部材の規制部）
接続部材Ｃａは、接続部材一方面側に設けられ、フェンス収納時には隣接する同形状の接続部材Ｃａに当接して接続部材同士の平面Ｓに沿った相対移動を規制する一方面側規制部Ａを備える。第１実施形態では、一方面側規制部Ａは、接続部材中央部Ｍから突出する第一突起部１６を備える。第一突起部１６は、Ｘ方向およびＹ方向に直交する向きに突出している。
【００２５】
また、接続部材Ｃａは、接続部材他方面側に設けられ、フェンス収納時には隣接する同形状の接続部材Ｃａに当接して接続部材同士の平面Ｓに沿った相対移動を規制する他方面側規制部Ｂを備える。第１実施形態では、他方面側規制部Ｂは、接続部材中央部Ｍから突出する第二突起部１８を備える。第二突起部１８は、Ｘ方向およびＹ方向に直交する向きに突出している。この第二突起部１８は、フェンス収納時に隣接する同形状の接続部材Ｃａの第一突起部１６が入る凹部１８ｄを備えている。
【００２６】
接続部材Ｃｂ、Ｃｃも、同様に、一方面側規制部Ａとして接続部材一方面側で接続部材中央部Ｍから突出する第一突起部１６を備え、他方面側規制部Ｂとして接続部材他方面側で接続部材中央部Ｍから突出する第二突起部１８を備えている。
【００２７】
また、第１実施形態では、図１〜図４に示すように、フェンス１０の一方のフェンス面および他方のフェンス面で、第一突起部１６と第二突起部１８がそれぞれ千鳥状に配置されるように、言い換えると第一突起部１６と第二突起部１８とが交互に配置されるように各接続部材Ｃａ〜ｃの一方面および他方面の向ける側がそれぞれ決められている。
【００２８】
なお、接続部材Ｃａ〜ｃの一方面に第一突起部１６が、他方面に第二突起部１８が配置されるようになっても良い。
【００２９】
また、第一突起部１６と第二突起部１８の形状が、円状（環状）に形成されているが別の形状（例えば方形状や六角形状）であってもよい。
【００３０】
（作用、効果）
以下、第１実施形態の作用、効果を説明する。第１実施形態では、使用時のフェンス１０（図１）からフェンス１０を収納する際、作業員が脚部１４を回転させて平面Ｓ内に脚部１４を位置させる。そして、道路などの平坦面Ｆ上に寝かせた状態（すなわち、平面Ｓが平坦面Ｆと平行な状態）に載置する。
【００３１】
次に、同様にして収納用に脚部１４を平面Ｓ内に位置させた同じ形状のフェンス１０を、寝かせたフェンス１０の上から積み重ねる。この結果、寝かせたフェンス１０と重ねたフェンス１０とで、第一突起部１６が第二突起部１８の凹部１８ｄに入った状態になる。
【００３２】
これにより、接続部材同士の平面Ｓに沿った相対移動が規制された状態でフェンス１０が積み重ねられる。重ねたフェンス１０上に同じ形状のフェンス１０を更に積み重ねていっても、同様の効果が得られる。従って、フェンス収納時の積み重ねが充分にできる。しかも、一方面側規制部Ａおよび他方面側規制部Ｂの構成が小型でかつ簡単である。
【００３３】
なお、第１実施形態では、第一方向（Ｘ方向）と第二方向（Ｙ方向）とが直交している例で説明したが、直交していなくても適用可能である。また、第一方向および第二方向に直交する第三方向からも長尺状の被接続部材が差し込まれる構成にすることも可能である。
【００３４】
［第２実施形態］
図５〜図８に示すように、第２実施形態に係るフェンス２０は、第１実施形態に比べ、接続部材の一方面側規制部および他方面側規制部の構成が異なる。
【００３５】
接続部材Ｃの一方面側規制部Ａは、互いに直交するとともに被接続部材が差し込まれる二方向のうちの一方向に沿って延びる細長状の一本のリブ２６を備える。接続部材Ｃの他方面側規制部は、被接続部材が差し込まれる二方向のうちの他方向に沿って延び、隣接する同形状の接続部材Ｃのリブ２６の両サイドに位置する二本のリブ２８を備える。
【００３６】
以下、リブ２６のうち、Ｘ方向に延びるものをリブ２６ｘ、Ｙ方向に延びるものをリブ２６ｙと適宜に記載する。
【００３７】
フェンス上辺部およびフェンス下辺部に配置されている接続部材Ｃｂでは、リブ２６（２６ｘ）およびリブ２８（２８ｘ）はＸ方向に沿って配置されている。フェンス本体１２の左右の側辺部に配置されている接続部材Ｃｂでは、リブ２６（２６ｙ）およびリブ２８（２８ｙ）はＹ方向に沿って配置されている。
【００３８】
そして、フェンス２０を一方のフェンス面および他方のフェンス面から見たとき、リブ２６とリブ２８が、千鳥状に配置されるように、言い換えるとリブ２６とリブ２８とが交互に配置されるように各接続部材Ｃａ〜ｃの一方面および他方面の向ける側がそれぞれ決められている。
【００３９】
なお、接続部材Ｃａ〜ｃの一方面にリブ２６が、他方面にリブ２８が配置されるようになっても良い。
【００４０】
従って、収納するために脚部１４を平面Ｓ内に位置させた同じ形状のフェンス２０を、寝かせたフェンス２０の上から積み重ねると、一本のリブ２６が二本のリブ２８の間Ｇに入った状態になる。そして、リブ２６ｘ、２８ｘによってＸ方向以外の接続部材同士の相対移動が規制され、リブ２６ｙ、２８ｙによってＹ方向以外の接続部材同士の相対移動が規制されている。
【００４１】
第２実施形態により、第１実施形態と同様、フェンス収納時の積み重ねが充分にできる。また、寝かせたフェンス２０と重ねたフェンス２０との接触長さが第１実施形態よりも長いので、一方面側規制部および他方面側規制部に生じる圧力を小さくすることができる。
【００４２】
［第３実施形態］
図９〜図１２に示すように、第３実施形態に係るフェンス３０は、第１実施形態に比べ、一方面側規制部および他方面側規制部の構成が異なる。
【００４３】
接続部材Ｃの一方面側規制部Ａは、互いに直交するとともに被接続部材が差し込まれる二方向のうちの一方向以外の接続部材同士の相対移動を規制する第一立設部を備える。接続部材Ｃの他方面側規制部は、被接続部材が差し込まれる二方向のうちの他方向以外の接続部材同士の相対移動を規制する第二立設部を備える。第３実施形態では、第一立設部および第２立設部は同形状であるので、以下、第一立設部および第２立設部のうち、Ｘ方向以外の移動を規制するものを規制部３６ｘ、Ｙ方向以外の移動を規制するものを規制部３６ｙと適宜に記載する。
【００４４】
第３実施形態では、接続部材Ｃ（Ｃａ、Ｃｂ、Ｃｃ）のうち、第一方向受け部Ｅｘ（第１実施形態参照）に規制部３６ｘが配置され、第二方向受け部Ｅｙ（第１実施形態参照）に規制部３６ｙが配置されている。なお、第３実施形態では、第一方向受け部Ｅｘと第二方向受け部Ｅｙとは同形状である。
【００４５】
規制部３６ｘの先端側は第一方向受け部Ｅｘの外周に合わせた凹状部にされている。規制部３６ｙの先端側は、第二方向受け部Ｅｙの外周に沿った凹状部にされている。
【００４６】
そして、フェンス３０の一方のフェンス面および他方のフェンス面で、規制部３６ｘが設けられた接続部材と、規制部３６ｙが設けられた接続部材が、第二方向（Ｙ方向）に沿って交互に配置されている。
【００４７】
なお、規制部３６ｘが設けられた接続部材と規制部３６ｙが設けられた接続部材が、千鳥状に配置されてもよいし、規制部３６ｘが設けられた接続部材が一方面側に、規制部３６ｙが設けられた接続部材が他方面側になるように設けられても良い。
【００４８】
従って、収納用に脚部１４を平面Ｓ内に位置させた同じ形状のフェンス３０を、寝かせたフェンス３０の上から積み重ねると、規制部３６ｘの凹状部が第一方向受け部Ｅｘの外周に当接してＸ方向以外の接続部材同士の相対移動が規制されるとともに、規制部３６ｙの凹状部が第二方向受け部Ｅｙの外周に当接してＹ方向以外の接続部材同士の相対移動が規制される。
【００４９】
よって、第１実施形態と同様、フェンス収納時の積み重ねが充分にできる。また、規制部３６ｘ、３６ｙの先端側（第一立設部の先端側および第二立設部の先端側）が、第一方向受け部Ｅｘや第二方向受け部Ｅｙの外周に合わせた凹状部にされているので、積み重ね時に第一方向受け部Ｅｘおよび第二方向受け部Ｅｙに生じる応力を低下させることができる。
【００５０】
［第４実施形態］
図１３〜図１６に示すように、第４実施形態に係るフェンス４０は、第１実施形態に比べ、一方面側規制部Ａおよび他方面側規制部の構成が異なる。
【００５１】
接続部材Ｃ（Ｃａ、Ｃｂ、Ｃｃ）の一方面側規制部Ａは、上記二方向（第３実施形態参照）で形成される平面内での接続部材同士の相対移動を規制する一方面側立設部４６を備える。接続部材Ｃの他方面側規制部は、隣接する同形状の接続部材の一方面側立設部に非干渉となる位置に配置され、上記二方向で形成される平面内での接続部材同士の相対移動を規制する他方面側立設部４８を備える。
【００５２】
第４実施形態では、一方面側立設部４６、他方面側立設部４８とも各接続部材Ｃに形成されている。
【００５３】
そして、一方面側立設部４６は接続部材中央部の周囲に配置され、他方面側立設部４８は、一方面側立設部４６に比べ、接続部材中央部Ｍからの距離が遠い位置に配置されている。また、一方面側立設部４６および他方面側立設部４８の先端側は、第一方向受け部Ｅｘや第二方向受け部Ｅｙの外周に合わせて凹状部にされている。
【００５４】
そして、フェンス４０の一方のフェンス面および他方のフェンス面で、一方面側立設部４６が設けられた接続部材と、他方面側立設部４８が設けられた接続部材が、千鳥状に配置にされるように、言い換えると一方面側立設部４６と他方面側立設部４８とが交互に配置されるように各接続部材Ｃａ〜ｃの一方面および他方面の向ける側がそれぞれ決められている。
【００５５】
第４実施形態により、第３実施形態と同様、フェンス収納時の積み重ねが充分にできる。また、一方面側立設部４６および他方面側立設部４８の先端側が、第一方向受け部Ｅｘや第二方向受け部Ｅｙの外周に合わせた凹状部にされているので、積み重ね時に第一方向受け部Ｅｘおよび第二方向受け部Ｅｙに生じる応力を低下させることができる。
【００５６】
なお、本実施の形態では、接続部材Ｃがフェンスに用いられる例で説明したが、接続部材は、棚などの他の用途に用いることが可能である。
【００５７】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。このように、本実施の形態はここでは記載していない様々な実施の形態などを含む。
【産業上の利用可能性】
【００５８】
本実施の形態のフェンスは、道路や歩道、公園、屋内会場などで幅広く利用でき、また、本実施の形態の接続部材は、フェンス、棚など、幅広く利用することが可能である。
【符号の説明】
【００５９】
１０  フェンス
１２  フェンス本体
１４  脚部
１６  第一突起部
１８  第二突起部
１８ｄ  凹部
２０  フェンス
２６、２６ｘ、２６ｙ  リブ
２８、２８ｘ、２８ｙ  リブ
３０  フェンス
３６ｘ、３６ｙ  規制部（第一立設部、第二立設部）
４０  フェンス
４６  一方面側立設部
４８  他方面側立設部
Ａ  一方面側規制部
Ｂ  他方面側規制部
Ｃ、Ｃａ、Ｃｂ、Ｃｃ  接続部材
Ｅｘ  第一方向受け部
Ｅｙ  第二方向受け部
Ｐ、Ｐｘ、Ｐｙ  被接続部材
Ｍ  接続部材中央部
Ｒ  補強部
Ｓ  平面
Ｘ  方向（第一方向）
Ｙ  方向（第二方向）
【図１】
2018162579.tif 000003
【図２】
2018162579.tif 000004
【図３】
2018162579.tif 000005
【図４】
2018162579.tif 000006
【図５】
2018162579.tif 000007
【図６】
2018162579.tif 000008
【図７】
2018162579.tif 000009
【図８】
2018162579.tif 000010
【図９】
2018162579.tif 000011
【図１０】
2018162579.tif 000012
【図１１】
2018162579.tif 000013
【図１２】
2018162579.tif 000014
【図１３】
2018162579.tif 000015
【図１４】
2018162579.tif 000016
【図１５】
2018162579.tif 000017
【図１６】
2018162579.tif 000018